(57)【要約】【課題】  ユーザにとって使い勝手の良い新規な番組表表示装置及び番組表表示方法を提供することを主たる目的とする。【解決手段】  電子番組表上の各番組セル内に表示された番組情報を参照しながら、カーソルが位置する番組セルをグレイアウト処理するか否かを判断する（ステップ３０３）。  グレイアウト処理する番組セルが電子番組表上に在る場合（ステップ３０３のＹｅｓ）、ユーザはリモートコントローラ１１７を操作する等してグレイアウト処理の実行を入力する。グレイアウト処理の実行が入力された後、当該選択された番組セルは、番組表作成制御部の制御に基づいて、セル内の例えば文字や背景等の色や輝度が通常から変更された状態となる。ユーザはグレイアウト処理されていない番組の中から好みの番組を素早く発見することが出来る。【選択図】      図３
2009284437.tif 000002
【特許請求の範囲】
【請求項１】
番組情報を取得する取得手段と、
前記取得手段で取得された番組情報に基づいて電子番組表を作成する作成手段と、
前記電子番組表を表示する表示手段と、
前記作成手段で作成された前記電子番組表を構成する任意の番組セルをユーザの指示に基づいて選択する選択手段と、
前記選択手段で選択された番組セルの背景及び文字の少なくともいずれか一方のうちの、色及び輝度の少なくもいずれか一方の表示態様を変更する番組セル表示態様変更手段と、
を備えることを特徴とする番組表表示装置。
【請求項２】
前記選択手段で選択された番組セルとその他の番組セルとの関連性の有無を、前記取得手段で取得した前記番組情報に基づいて検出する検出手段を備え、
前記番組セル表示態様変更手段は、前記選択手段で選択された番組セルの表示態様を変更するとともに、前記検出手段によって関連性有りと検出された番組セルについても表示態様を変更することを特徴とする請求項１に記載の番組表表示装置。
【請求項３】
前記番組セル表示態様変更手段は、前記選択手段で選択された番組セルの表示態様を変更するとともに、当該選択された番組セルと同一ジャンルまたは同一シリーズの番組セルについても表示態様を変更することを特徴とする請求項１に記載の番組表表示装置。
【請求項４】
番組情報を取得する取得手段と、
前記取得手段で取得された番組情報に基づいて電子番組表を作成する作成手段と、
任意の番組をユーザの指示に基づいて選択する選択手段と、
前記選択手段で選択された番組に対応する前記電子番組表上における番組セルの背景及び文字の少なくともいずれか一方のうちの、色及び輝度の少なくもいずれか一方の表示態様を変更する番組セル表示態様変更手段と、
を備えることを特徴とする番組表表示装置。
【請求項５】
さらに、前記電子番組表上でカーソル操作を行う操作手段を備え、
前記操作手段は、前記番組セル表示態様変更手段によって表示態様が変更された番組セルをスキップすることを特徴とする請求項１乃至請求項４のいずれかに記載の番組表示装置。
【請求項６】
任意の番組をユーザの指示に基づいて選択する選択手段と、
番組視聴中において所望のチャンネルに切り替えるチャンネル切替手段と、
前記チャンネル切替手段による切替先のチャンネルの番組が前記選択手段によって選択されているか否かを検出する検出手段と、
前記検出手段によって前記切替先のチャンネルの番組が前記選択手段によって選択されていると検出された場合、当該チャンネルをスキップするよう制御する制御手段と、
を備えることを特徴とする放送受信装置。
【請求項７】
番組情報を取得するステップと、
任意の番組をユーザの指示に基づいて選択するステップと、
前記選択された番組に対応する前記電子番組表上における番組セルの背景及び文字の少なくともいずれか一方のうちの、色及び輝度の少なくもいずれか一方の表示態様を変更するステップと、
を有することを特徴とする番組表表示方法。
【請求項８】
番組情報を取得する取得手段と、
前記取得手段で取得された番組情報に基づいて電子番組表を作成する作成手段と、
前記電子番組表を表示する表示手段と、
前記作成手段で作成された前記電子番組表を構成する任意の番組セルをユーザの指示に基づいて選択する選択手段と、
前記選択手段で選択された番組セルを空欄に変更する番組セル表示態様変更手段と、
を備えることを特徴とする番組表表示装置。
【請求項９】
番組情報を取得する取得手段と、
前記取得手段で取得された番組情報に基づいて電子番組表を作成する作成手段と、
前記電子番組表を表示する表示手段と、
前記作成手段で作成された前記電子番組表を構成する任意の番組セルをユーザの指示に基づいて選択する選択手段と、
前記選択手段で選択された番組セルのを枠線の表示態様を変更する番組セル表示態様変更手段と、
を備えることを特徴とする番組表表示装置。
【発明の詳細な説明】
【技術分野】
【０００１】
この発明は、例えばテレビジョン放送受信装置等で使用される番組表表示装置、番組表表示方法及び放送受信装置に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信する放送受信装置では、放送信号から取得したＥＰＧ（electronic program guide）情報に基づいて電子番組表を作成し、画面上に映像表示している。これにより、ユーザは、映像表示された電子番組表から所望の番組を選択して、当該選択された番組の視聴や録画予約等を行なうことができる。
【０００４】
特許文献１には、特定のジャンル毎に編集される電子番組表を表示させるようにした技術が開示されている。
【特許文献１】特開２００１−２３８１４４号公報
【発明の開示】
【発明が解決しようとする課題】
【０００５】
ところで、電子番組表では、多数のチャンネルと番組とがかなり過密に表示されるため、その電子番組表の中からユーザが真に視聴や録画を希望する番組を探し出し、そして選択する（視聴するあるいは録画予約を実行する等）というのは、かなりの時間と労力を要する場合がある。従って、ユーザが電子番組表を容易に使いこなすことが可能となるように電子番組表の表示形態について一層の工夫を施すことが重要となる。
【０００６】
そこで本発明は、ユーザにとって使い勝手の良い新規な番組表表示装置及び番組表表示方法を提供することを主たる目的とする。
【課題を解決するための手段】
【０００７】
本発明は上記課題に鑑みてなされたものであり、その主な特徴は以下のとおりでる。すなわち、本発明の番組表表示装置は、番組情報を取得する取得手段と、前記取得手段で取得された番組情報に基づいて電子番組表を作成する作成手段と、前記電子番組表を表示する表示手段と、前記作成手段で作成された前記電子番組表を構成する任意の番組セルをユーザの指示に基づいて選択する選択手段と、前記選択手段で選択された番組セルの背景及び文字の少なくともいずれか一方のうちの、色及び輝度の少なくもいずれか一方の表示態様を変更する番組セル表示態様変更手段と、を備えることを特徴とする。
【０００８】
また、本発明の番組表表示装置は、番組情報を取得する取得手段と、前記取得手段で取得された番組情報に基づいて電子番組表を作成する作成手段と、前記電子番組表を表示する表示手段と、前記作成手段で作成された前記電子番組表を構成する任意の番組セルをユーザの指示に基づいて選択する選択手段と、前記選択手段で選択された番組セルを空欄に変更する番組セル表示態様変更手段と、を備えることを特徴とする。
【０００９】
また、本発明の番組表表示装置は、番組情報を取得する取得手段と、前記取得手段で取得された番組情報に基づいて電子番組表を作成する作成手段と、前記電子番組表を表示する表示手段と、前記作成手段で作成された前記電子番組表を構成する任意の番組セルをユーザの指示に基づいて選択する選択手段と、前記選択手段で選択された番組セルのを枠線の表示態様を変更する番組セル表示態様変更手段と、を備えることを特徴とする。
【００１０】
また、本発明の番組表表示方法は、番組情報を取得するステップと、任意の番組をユーザの指示に基づいて選択するステップと、前記選択された番組に対応する前記電子番組表上における番組セルの背景及び文字の少なくともいずれか一方のうちの、色及び輝度の少なくもいずれか一方の表示態様を変更するステップと、を有することを特徴とする。
【００１１】
また、本発明の放送受信装置は、任意の番組をユーザの指示に基づいて選択する選択手段と、番組視聴中において所望のチャンネルに切り替えるチャンネル切替手段と、前記チャンネル切替手段による切替先のチャンネルの番組が前記選択手段によって選択されているか否かを検出する検出手段と、前記検出手段によって前記切替先のチャンネルの番組が前記選択手段によって選択されていると検出された場合、当該チャンネルをスキップするよう制御する制御手段と、を備えることを特徴とする。
【発明の効果】
【００１２】
本発明では、電子番組表上で表示される番組セルのうち任意の番組セルの表示態様を変更することが出来る。従って、ユーザは表示態様が変更された番組セルと変更されていない番組セルを区別し、所望の番組を電子番組表上で容易に見つけることが出来る。
【発明を実施するための最良の形態】
【００１３】
以下、この発明の最良の実施形態について、図面を参照しながら説明する。図１は、以下の実施形態で説明するテレビジョン放送受信装置１１１の外観の一例を概略的に示している。
【００１４】
すなわち、テレビジョン放送受信装置１１１は、主として、薄型のキャビネット１１２と、このキャビネット１１２を起立させて支持する支持台１１３とから構成されている。そして、キャビネット１１２には、例えば液晶表示パネル等を備えた平面パネル型ディスプレイである映像表示器１１４、一対のスピーカ１１５、操作部１１６、リモートコントローラ１１７から送信される操作情報を受けるリモコン受光部１１８等が設置されている。
【００１５】
図２は、テレビジョン放送受信装置１１１の主要な信号処理系の一例を示している。すなわち、ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００１６】
そして、このチューナ２４５で選局された放送信号は、ＰＳＫ（Phase Shift Keying）復調器２４６に供給されてＴＳ(Transport Stream)が復調される。このＴＳは、ＴＳ復号器２４７に供給されてデジタルの映像信号、音声信号、データ信号等に復号化された後、信号処理部２４８に出力される。
【００１７】
また、地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００１８】
そして、このチューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理部２４８に出力される。
【００１９】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理部２４８に出力される。
【００２０】
そして、信号処理部２４８は、テレビ視聴時には、ＴＳ復号器２４７およびＴＳ復号器２５３からそれぞれ供給されたデジタルの映像信号及び音声信号に対して、選択的に所定のデジタル信号処理を施し、グラフィック処理部２５４及び音声処理部２５５に出力している。また、制御部２６１に含まれるチャンネル情報検出部２５６には、ＴＳ復号器２４７及びＴＳ復号器２５３からデータが供給される。チャンネル情報検出部２５６では、供給されたデータ信号からＰＳＩ／ＳＩ(Program Specific Information/Service Information)が検出される。
【００２１】
制御部２６１には、信号処理部２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御部２６１は、これら入力された情報からＥＰＧ，字幕を表示するため画像生成処理を行い、この生成した画像情報をグラフィック処理部２５４へ出力する。
【００２２】
グラフィック処理部２５４は、信号処理部２４８から供給されるデジタルの映像信号にＯＳＤ（On Screen Display）信号生成部２５７で生成されるＯＳＤ信号を重畳して出力する機能を有する。また、このグラフィック処理部２５４は、信号処理部２４８の出力映像信号と、ＯＳＤ信号生成部２５７の出力ＯＳＤ信号とを選択的に出力することや、両出力をそれぞれ画面の半分を構成するように組み合わせて出力することができる。
【００２３】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２４】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。また、テレビジョン放送受信装置１１１は、現在時刻を計測する時計２８０を備えている。
【００２５】
ここで、このテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から前記受光部１１８を介して受信した操作情報を受けて、その操作内容が反映されるように各部をそれぞれ制御している。
【００２６】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを利用している。
【００２７】
また、制御部２６１は、番組表作成制御部２６１ｄを備えている。この番組表作成制御部２６１ｄは、映像表示器１４に表示される電子番組表の作成を制御するものであって、且つ操作部１１６やリモートコントローラ１１７等によるユーザ操作に応じて、電子番組表を構成する所定の番組セルの表示態様を変更するように制御する。詳細は後述する。
【００２８】
次に、第１の実施形態に係るテレビジョン放送受信装置１１１の動作について、図３のフローチャートを参照しながら説明する。
まず、テレビジョン放送受信装置１１１にて、信号処理部２４８やＴＳ複合器２４７，２５３から制御部２６１に、デジタル放送に多重化して含まれる電子番組ガイド（ＥＰＧ）情報，番組属性情報（番組のジャンル等）等の番組情報が入力される。当該番組情報は、例えば不揮発性メモリ２６１ｃに格納され、随時更新される。なお、当該番組情報は、１日分、１週間分あるいは１ヶ月分であってもよく、そのデータ量は任意である。
【００２９】
次に、ユーザによる所定の操作（例えば、リモートコントローラ１１７の番組表呼び出しボタンを押下する）に基づいて、映像表示器１１４に電子番組表が表示される（ステップ３０１）。図４は、映像表示器１１４に表示される電子番組表の一例を示している。この電子番組表は、水平方向にサービス（放送局）に対応する複数（図４の場合は５つ）のチャンネル表示枠を配列したチャンネル軸４０１と、垂直方向に時系列的に連続した単位時間（図示の場合は１時間）に対応する複数（図４の場合は５時間分）の時間枠を配列した時間軸４０２とが配列されている。そして、放送が予定されている各番組のタイトルや番組内容等の各種情報（Ａ１〜Ａ５、Ｂ１〜Ｂ４、Ｃ１〜Ｃ４、Ｄ１〜Ｄ４、Ｅ１〜Ｅ４）が、チャンネル軸４０１と時間軸４０２とで指定された各領域（番組セル）に表示されるようになっている。また、この電子番組表では、当該番組表の日時を示す表示がなされている。
【００３０】
次に、映像表示器１１４に表示された電子番組表を参照しながらリモートコントローラ１１７の所定キーをユーザが操作することで、各番組セル間をカーソル４０３が上下または左右に移動し、ユーザは現在あるいは将来的に視聴や録画を希望する番組を探すことが出来る（ステップ３０２）。
【００３１】
次にユーザは、各番組セル内に表示された番組情報を参照しながら、カーソル４０３が位置する番組セルをグレイアウト処理するか否かを判断する（ステップ３０３）。ここでいうグレイアウト処理とは、番組表作成制御部２６１ｄの制御に基づいて、選択された番組セル内の例えば文字や当該文字の背景のいずれか一方または双方の色を薄くしたり、輝度を落とす等して、この選択された番組セルの表示態様を通常状態から変更する処理であり、基本的にはユーザが視聴や録画を希望しない番組セルに対して行うことを想定した処理である。
【００３２】
なお、番組表作成制御部２６１ｄに基づく当該変更の内容は、カーソル４０３によって選択された番組セルと非選択の他の番組セルと視覚的に容易に区別することができ、かつ選択された番組セルの方が、非選択の他の番組セルと比べて視覚的に目立たなくなるような表示態様に変更する処理であることが好ましく、その変更内容は限定されない。例えば、選択された番組セル内を全て黒一色と変更することで番組内容を把握出来ないようにすることも可能であるが、その場合にはグレイアウト処理の解除処理を行わない限り内容の再確認が出来なくなるので、内容が微妙に確認出来る程度に文字や背景の色を薄くする等して目立たなくなる処理が好ましい。
【００３３】
なお、上記説明では、グレイアウトという表現が用いられているが、これは見た目の状態そのものを示しているのではなく、ユーザが選択したという状態を示すために便宜的に用いている。また、グレイアウト処理の他の例として、選択された番組セルを空欄（文字が無い状態）に変更する処理であってもよいし、番組セルの枠線の表示態様を変更する処理（例えば枠線の太さや色、線の種類：破線や波線等を変更する処理）であってもよい。
【００３４】
グレイアウト処理する番組セル（＝視聴や録画を希望しない番組セル）が電子番組表上に在る場合（ステップ３０３のＹｅｓ）、ユーザはリモートコントローラ１１７を操作する等してグレイアウト処理の実行を入力する。グレイアウト処理の実行が入力された後、当該選択された番組セルは、番組表作成制御部２６１ｄの制御に基づいて、例えば図５のＡ１やＣ３に係る番組セルに示すようなグレイアウト表示５０１となる（ステップ３０４）。グレイアウト表示５０１は、上記のとおり、当該番組セル内の例えば文字や背景等の色を薄くしたり、輝度を落とす等することで通常から変更された状態である。
【００３５】
なお、グレイアウト処理を実行するための具体的な操作方法は種々考えられる。例えばリモートコントローラ１１７の操作に基づいて、グレイアウト処理するか否かをユーザが選択できるＧＵＩ(Graphic User Interface)を映像表示器１１４に表示することが好ましい（例えば、図７や図９で示すサブメニュー７０１）。
【００３６】
また、グレイアウト処理は、上記のとおり、電子番組表上でカーソル操作を行っている際に実行の入力が行われる構成であってもよいし、電子番組表が表示されていない状態（例えば番組視聴中）に行われる構成であってもよい。例えば、ある番組を視聴中にグレイアウト処理を実行することで、その後に電子番組表を表示する際に、視聴中にグレイアウト処理を実行した番組に対応する番組セルがグレイアウト処理された状態で表示されるように構成することも可能である。
【００３７】
そして、他にグレイアウト処理を望む番組がないとユーザが判断した場合（ステップ３０５のＮｏ）には終了する。
一方、他にグレイアウト表示する番組セルが在るとユーザが判断した場合（ステップ３０５のＹｅｓ）には、ステップ３０２へと戻り、同様のステップを繰り返す。なお、一旦グレイアウト処理した番組セルを元の状態に戻すには、例えば図７や図９で示すサブメニュー７０１を参照しながらユーザがリモートコントローラ１１７を操作し、サブメニュー７０１内の「グレイアウト処理解除」を選択する操作に応じてグレイアウト処理が解除されるように番組表作成制御部２６１ｄが制御する構成であればよい。
【００３８】
このように本実施形態対では、ユーザの指示に基づいて選択された番組セルの表示態様（例えば、番組セルの背景や文字の色や輝度）を容易に変更できる。本実施形態で特筆すべきは、ユーザが視聴や録画を希望しない番組セルを選択的にグレイアウト処理している点である。すなわち、グレイアウト処理されていない番組セルはグレイアウト処理された番組セルと比べて相対的に目立つので、ユーザはグレイアウト処理されていない番組の中から好みの番組を素早く発見することが出来る。
【００３９】
なお、視聴や録画を希望する番組の番組セルに対して表示態様を変更する処理（例えば希望する番組が目立つようにする処理）を行うことも可能であるが、かかる場合にはどうしても漏れが発生する等、本来視聴や録画を希望していた番組を見逃す可能性が捨て切れない。これに対して、本実施形態に係る構成によれば、ユーザがグレイアウト処理し損なった番組が電子番組表上に残っていたとしても、それは元々ユーザが希望しない番組である。従って、本実施形態に係る構成のほうが、グレイアウト処理されていない番組の中から好みの番組を確実且つ素早く発見することが出来る。
【００４０】
なお、第１の実施形態では、グレイアウト処理するか否かをユーザが判断している例を説明したが、制御部２６１の制御に基づいてテレビジョン放送受信装置１１１側が自動的に判断してグレイアウト処理する構成であってもよい。例えば、グレイアウト処理の実行の度にその対象となった番組情報（例えばジャンル情報）を記録し、当該された番組情報を基にユーザが視聴を希望しないとの可能性が高いと判断される番組セルについては、制御部２６１の制御に基づいて自動的にグレイアウト処理する構成であってもよい。
【００４１】
なお、上記第１の実施形態では、一度の操作でグレイアウト処理される番組セルは一つであったが、電子番組表上で幾つかの番組セルを予め選択し、その後これらの番組セルに対して一括でグレイアウト処理できる構成であってもよい。
【００４２】
次に、第２の実施形態に係るテレビジョン放送受信装置１１１の動作について説明する。
まず、第２の実施形態に係るテレビジョン放送受信装置１１１に係る制御部２６１では、グレイアウト処理を実行すると選択した番組セルと、それ以外の番組セルとの関連性の有無を、取得した番組情報に基づいて検出する。そして、選択した番組セルをグレイアウト処理すると同時に、選択した番組セルと関連性が有る（関連性が高い場合も含む）と検出された番組セルについても同様にグレイアウト処理するように番組表作成制御部２６１ｄが制御する。
【００４３】
関連性の有無の検出は、取得する番組情報に含まれる例えばジャンル情報（スポーツ，音楽，映画，バラエティ等の大概念のカテゴリーでも良いし、スポーツであれば野球，サッカー，ゴルフ…、音楽であればロック，ポップ，演歌，オペラ，演劇…などの小概念のカテゴリーでも良い）に基づいて行うことが出来る。つまり、選択された番組セルのジャンルが例えばスポーツであるとした場合、番組表作成制御部２６１ｄは、取得した番組情報を基にジャンルがスポーツである番組セルを探索する。そして、同一ジャンルであると検出された番組セルは、選択された番組セルをグレイアウト処理すると同時に、同様にグレイアウト処理するように番組表作成制御部２６１ｄが制御する。
【００４４】
また、選択された番組がいわゆるシリーズ番組（例えば、毎週同チャンネル・同時刻に放送）の場合には、当該シリーズ番組全て（月毎でもよい）をグレイアウト処理することも可能である。この場合、番組情報に含まれる追跡基準（選択した番組の放送曜日と放送時刻）や追跡キーワード（番組名などのキーワード）をもとに次回の番組の有無、つまり選択された番組と他の番組の関連性が制御部２６１に基づいて検索され、次回の番組が在る場合には、選択された番組セルをグレイアウト処理すると同時に、次回の番組を含めたシリーズ番組全ての番組セルが同様にグレイアウト処理されるように番組表作成制御部２６１ｄが制御する。なお、選択した番組がシリーズ番組であるか否かを判断するには、例えば特開２００２−３５４３５４に開示されたように番組情報に含まれる識別子（シリーズ記述子）を用いてもよい。
【００４５】
次に、第２の実施形態に係るテレビジョン放送受信装置１１１の動作について、図６のフローチャートを参照しながら説明する。なお、第１の実施形態と同様の動作については、その説明を省略するか簡略する。
【００４６】
まず、ユーザによるリモートコントローラ１１７等の操作に基づいて、図４を用いて説明したような電子番組表が映像表示器１１４に表示される（ステップ６０１）。
【００４７】
次に、映像表示器１１４に表示された電子番組表を参照しながらユーザがリモートコントローラ１１７等を操作することで、電子番組表上の各番組セル間をカーソル４０３が上下または左右に移動し、現在あるいは将来的に視聴希望する番組や録画予約希望する番組を探すことが出来る（ステップ６０２）。
【００４８】
次にユーザは、各番組セルに表示された番組情報を参照しながら、カーソル４０３が位置する番組セルをグレイアウト処理するか否かを判断する（ステップ６０３）。グレイアウト処理する番組セルが電子番組表上に在る場合（ステップ６０３のＹｅｓ）、ユーザはリモートコントローラ１１７を操作する等してグレイアウト処理の実行を入力する。
【００４９】
例えば、Ａ１に係る番組セルをカーソル４０３で選択してリモートコントローラ１１７の決定キーを押下すると、図７に示すように電子番組表に重畳したサブメニュー７０１が表示される（ステップ６０４）。サブメニュー７０１は、カーソル４０３で選択された番組（図７ではＡ１）を（１）録画予約するか、（２）当該選択された番組をグレイアウト処理するか、（３）（既にグレイアウト処理されていれば）グレイアウト処理を解除するか、のいずれかの動作を操作するためのメニュー画面である。
【００５０】
そして、サブメニュー７０１の「グレイアウト処理」を選択した場合、更なるサブメニュー７０２が表示される（ステップ６０４）。サブメニュー７０２は、当該選択された番組（図７ではＡ１）を（１）今回のみグレイアウト処理するか、（２）（シリーズ番組であれば）毎回連続的にグレイアウト処理するか、（３）当該選択された番組と同一ジャンル（図７ではドラマ）に属する番組を全てグレイアウト処理するか、のいずれかの動作を操作するためのメニュー画面である。すなわち、サブメニュー７０２は、グレイアウト処理の実行パターンを選択するためのメニューである。なお、サブメニュー７０１，７０２は、カーソル選択した際に自動的に表示されるいわゆるポップアップメニューであってもよいし、リモートコントローラ１１７の所定の決定操作が行われること等に基いて表示されるメニューのいずれであってもよい。また、「毎回」や「今回のみ」という表示は、選択した番組（図７ではＡ１）がシリーズ番組の場合にのみサブメニュー７０２に表示され、シリーズ番組でない単発の番組のときには表示されないように、番組情報に基づいて番組表作成制御部２６１が制御する構成であってもよい。
【００５１】
次に、サブメニュー７０２を参照しながらグレイアウト処理の実行パターンを選択する（ステップ６０５）。サブメニュー７０２において「今回のみ」を選択した場合には、選択された番組セルのみが図５で示したのと同様にグレイアウト処理される（ステップＳ６０６）。
【００５２】
サブメニュー７０２において「毎回」を選択した場合には、番組表作成制御部２６１ｄの制御に基づいて、その番組に加えて次回・次々回…といったように当該番組に連続するシリーズ番組が全てグレイアウト処理されて電子番組表に表示されるようになる（ステップ６０７）。
【００５３】
サブメニュー７０２において「ジャンル」を選択した場合には、番組表作成制御部２６１ｄの制御に基づいて、その番組に加えて同一ジャンルの番組が全てグレイアウト処理される（ステップ６０８）。図８は、選択した番組（Ａ１）に加えて、同一ジャンル（例えばドラマ）の番組セル（Ａ５、Ｃ３、Ｄ４、Ｅ４）がグレイアウト処理された状態の概略を示している。
【００５４】
また、図９に示すようなサブメニューを表示させることもできる。すなわち、選択した番組（図９ではＢ２）が例えばプロ野球の試合の番組の場合、図９のサブメニュー９０１に示すように、（１）今回のみグレイアウト処理とするか、（２）今回と同じ対戦カードが今後放送される場合に当該試合を連続的にグレイアウト処理するか、（３）プロ野球の試合を全てグレイアウト処理するか、（４）スポーツ全体の番組をグレイアウト処理するか、のいずれかの動作を操作するためのメニュー画面を表示し、いずれかの処理を実行することができる。このグレイアウト処理は、上記したのと同様、例えば取得した番組情報（番組名や番組説明）の中に所定の文字が含まれているか否かを制御部２６１で判断し、当該取得した番組情報に基づいて番組表作成制御部２６１ｄが制御する。また、「今回と同じ対戦カード」や「今回のみ」という表示は、番組情報の中に所定の文字（チームの文字等）が含まれているか否かに基づいて、選択した番組が対戦カードを含むスポーツ番組の場合にのみ表示され、対戦カードを含まない番組のときには表示されないように制御部２６１が制御する構成であってもよい。このように、サブメニューとして、一度にグレイアウト処理を行う範囲を幾つかのカテゴリーの中から選べるように構成してもよい。
【００５５】
そして、他にグレイアウト処理を望む番組がないとユーザが判断した場合（ステップ６０９のＮｏ）には終了する。
一方、他にグレイアウト処理する番組セルが在るとユーザが判断した場合（ステップ６０９のＹｅｓ）には、ステップ６０２へと戻り、同様のステップを繰り返す。なお、グレイアウト処理した番組セルを元の状態に戻すには、ユーザがリモートコントローラ１１７を操作し、この操作に応じてグレイアウト処理が個々にあるいは一括で解除されるように番組表作成制御部２６１ｄが制御する構成であればよい。
【００５６】
このように、第２の実施形態では、取得した番組情報に基づいて、選択した番組と関連の有る番組を同時にグレイアウト処理することが出来る。従って、第１の実施形態で得られる効果に加えて、視聴を望まない番組を一斉にグレイアウト処理でき、ユーザの操作性を更に向上させることができる。
【００５７】
次に、第３の実施形態に係るテレビジョン放送受信装置１１１の動作について、図１０のフローチャートを参照しながら説明する。第３の実施形態は、グレイアウト処理が成された後の電子番組表上におけるカーソル操作の制御に主たる特徴を有する。なお、第１または第２の実施形態と同様の動作については、その説明を省略するか簡略する。
【００５８】
まず、ユーザによるリモートコントローラ１１７等の操作に基づいて、図４を用いて説明したような電子番組表が映像表示器１１４に表示される（ステップ１００１）。
【００５９】
次にユーザは、電子番組表を参照しながらリモートコントローラ１１７等を操作することで、電子番組表上においてカーソル４０３を上下または左右に移動させることが出来る（ステップ１００２）。
【００６０】
次に、制御部２６１の制御に基づいて、カーソル４０３の移動先の番組セルが既にグレイアウト処理されている否かが検出される（ステップ１００３）。カーソルの移動先の番組セルが既にグレイアウト処理されている場合（ステップ１００３のＹｅｓ)には、図１１の矢印に示すように時間軸に沿って当該番組セル（例えば、Ａ２、Ａ５、Ｃ３、Ｄ４、Ｅ４）をカーソル４０３がスキップするよう制御部２６１によってカーソル操作が制御され（ステップ１００４）、ステップ１００２に戻る。なお、時間軸に沿うのみでなく、チャンネル軸に沿ってスキップするよう制御部２６１によってカーソル操作が制御されてもよい。
【００６１】
また、カーソルの移動先の番組セルがグレーアウトされていない場合（ステップ１００３のＮｏ）には、図１１の矢印で示したようなスキップ処理は行われないように制御部２６１によって制御される（ステップ１００５）。
【００６２】
このように、第３の実施形態では、カーソル操作先の番組セルがグレイアウト処理されているか否かを検出し、グレイアウト処理されている場合には、制御部２６１の制御に基づいて当該番組セルのスキップ処理を実行する構成となっている。かかる構成によれば、視聴や録画を望まない番組は電子番組表上のカーソル操作においてスキップされるため、所望の番組を短時間で探すことが出来、ユーザの操作性を更に向上させることができる。
【００６３】
次に、第４の実施形態に係るテレビジョン放送受信装置１１１の動作について、図１２のフローチャートを参照しながら説明する。第３の実施形態は、グレイアウト処理が成された後の番組視聴中におけるチャンネル切替操作の制御に主たる特徴を有する。なお、第１乃至第３の実施形態と同様の動作については、その説明を省略するか簡略する。
【００６４】
まず、ユーザは何らかの番組を視聴していたとし、リモートコントローラ１１７等の操作に基づいてチャンネル切替操作を行ったとする（ステップ１２０１）。
次に、制御部２６１の制御に基づいて、切替先の番組セルが既にグレイアウト処理されている否かが検出される（ステップ１２０２）。切替先の番組に対して既にグレイアウト処理がされている場合（ステップ１２０２のＹｅｓ)には、当該切替先の番組は視聴を希望しないものであるため、当該番組のチャンネルをスキップして次のチャンネルに切り替わるように制御部２６１に基づいて制御される（ステップ１２０３）。なお、切替先の更に次のチャンネルの番組もグレイアウト処理がされていれば同様のスキップ処理を行う。
【００６５】
また、切替先の番組がグレイアウト処理されていないと検出された場合（ステップ１２０２のＮｏ）には、スキップ処理は行われないように制御部２６１によって制御されて、チャンネルが切り替わる（ステップ１２０４）。
【００６６】
このように、第４の実施形態では、チャンネル操作先の番組がグレイアウト処理されているか否かを検出し、グレイアウト処理されている場合には、制御部２６１の制御に基づいて当該番組のスキップ処理を実行する構成となっている。かかる構成によれば、視聴や録画を望まない番組は番組視聴中のチャンネル切替操作においてスキップされるため、所望の番組をチャンネル切替操作時においても短時間で探すことが出来、ユーザの操作性を更に向上させることができる。また、視聴中の番組が終了して、グレイアウト処理された番組の開始時刻になったことを制御部２６１が判断し、グレイアウト処理した番組が開始されて、本来視聴を希望しない番組を現在視聴いるという注意をユーザーに促すＧＵＩを映像表示器１１４に表示するよう制御部２６１が制御してもよい。あるいは、視聴中の番組が終了して、グレイアウト処理された番組の開始時刻になった際に、別のチャンネルに自動的に切り替えるように制御部２６１が制御する構成であってもよい。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６８】
【図１】本実施形態に係るテレビジョン放送受信装置の外観を説明するための図である。
【図２】本実施形態に係るテレビジョン放送受信装置の主要な信号処理系を示す図である。
【図３】第１の実施形態に係るテレビジョン放送受信装置の動作を示すフローチャート図である。
【図４】本実施形態に係る電子番組表の表示例を示す図である。
【図５】本実施形態に係るグレイアウト処理の一例を示す図である。
【図６】第２の実施形態に係るテレビジョン放送受信装置の動作を示すフローチャート図である。
【図７】第２の実施形態に係るテレビジョン放送受信装置の動作を示す電子番組表の図である。
【図８】第２の実施形態に係るテレビジョン放送受信装置の動作を示す電子番組表の図である。
【図９】第２の実施形態に係るテレビジョン放送受信装置の動作を示す電子番組表の図である。
【図１０】第３の実施形態に係るテレビジョン放送受信装置の動作を示すフローチャート図である。
【図１１】第３の実施形態に係るテレビジョン放送受信装置の動作を示す電子番組表の図である。
【図１２】第４の実施形態に係るテレビジョン放送受信装置の動作を示すフローチャート図である。
【符号の説明】
【００６９】
１１１…テレビジョン放送受信装置、１１２…キャビネット、１１３…支持台、１１４…映像表示器、１１５…スピーカ、１１６…操作部、１１７…リモートコントローラ、１１８…受光部、２４３…アンテナ、２４４…入力端子、２４５…チューナ、２４６…ＰＳＫ復調器、２４７…ＴＳ復号器、２４８…信号処理部、２４９…アンテナ、２５０…入力端子、２５１…チューナ、２５２…ＯＦＤＭ復調器、２５３…ＴＳ復号器、２５４…グラフィック処理部、２５５…音声処理部、２５６…チャンネル情報検出部、２５７…ＯＳＤ信号生成部、２５８…映像処理部、２５９…出力端子、２６０…出力端子、２６１…制御部、２６１ａ…ＲＯＭ、２６１ｂ…ＲＡＭ、２６１ｃ…不揮発性メモリ、２６１ｄ・・・番組表作成制御部、４０１…チャンネル軸、４０２…時間軸、４０３…カーソル、７０１…サブメニュー、７０２…サブメニュー、９０１…サブメニュー。
【図１】
2009284437.tif 000003
【図２】
2009284437.tif 000004
【図３】
2009284437.tif 000005
【図４】
2009284437.tif 000006
【図５】
2009284437.tif 000007
【図６】
2009284437.tif 000008
【図７】
2009284437.tif 000009
【図８】
2009284437.tif 000010
【図９】
2009284437.tif 000011
【図１０】
2009284437.tif 000012
【図１１】
2009284437.tif 000013
【図１２】
2009284437.tif 000014